【手続補正書】
【提出日】平成19年2月23日(2007.2.23)
【手続補正１】
【補正対象書類名】特許請求の範囲
【補正対象項目名】全文
【補正方法】変更
【補正の内容】
【特許請求の範囲】
【請求項１】
母材とそれに接合する接合物との接合境界部に供与した接合材をレーザ光の照射により溶融させた後に硬化させて接合する光学部品の接合方法であって、前記接合材は、前記接合物外まわりで相対向する接合箇所の、前記母材と前記接合材との間の接合境界部に供与されており、前記接合材のそれぞれに直接レーザ光を照射し、溶融して接合境界部各部の母材および接合物双方へ濡れ跨った前記接合材が同時に硬化しフィレットを形成するようにレーザ光の照射タイミングまたはおよび照射出力を調整し、前記接合材の硬化時に前記接合物を前記母材に対して位置ずれさせる作用力を接合箇所間でバランスさせてアライメント位置を保持して接合させることを特徴とする光学部品の接合方法。
【請求項２】
接合物の母材への接合後、前記接合物の位置が寄っている側と反対の側の端縁と前記母材とに補助接合材を跨らせて供与し、直接レーザ光を照射して溶融させた後硬化させることにより、前記補助接合材の硬化時に前記接合物を前記母材に対して位置ずれさせる作用力を前記位置が寄っている側と反対の向きに働かせてアライメントする請求項１に記載の光学部品の接合方法。
【請求項３】
前記接合材は、前記母材と前記接合物との一方の接合部に設けた凸部の端面に成膜層として設けられ、前記母材と前記接合物との間に前記凸部によってできる隙間を通じ前記凸部に対してレーザ光を照射し前記接合材を溶融させた後、硬化させることにより接合させることを特徴とする請求項１に記載の光学部品の接合方法。
【請求項４】
前記接合材は、前記母材と前記接合物との間の複数の凸部の端面に、融点が高い第1の接合材とこの第1の接合材より融点が低い第２の接合材とが個別に成膜されており、前記第1の接合材にレーザ光を照射して溶融後の硬化により前記母材と前記接合物とを接合して接合物モジュールとし、この接合物モジュールと煽りベースとの一方の接合部に設けた凸部に成膜しておいた前記第２の接合材と同じ第３の接合材にレーザ光を照射して前記第３の接合材を溶融させるとともに、前記第２の接合材を溶融させ、前記第２の接合材と第３の接合材との硬化により接合を行う請求項３に記載の光学部品の接合方法。
【請求項５】
接合物の外まわりの相対向する一方の接合を優先して行い、その後接合物の位置ずれを判定し、他方の接合を前記判定した位置ずれが減少ないしは解消するようにレーザ光の照射出力またはおよび照射タイミングを制御して行う請求項１〜４のいずれか１項に記載の光学部品の接合方法。
【請求項６】
他方の接合は、接合を終えている一方の接合材を軟化させてから行う請求項５に記載の光学部品の接合方法。
【手続補正２】
【補正対象書類名】明細書
【補正対象項目名】０００７
【補正方法】変更
【補正の内容】
【０００７】
本発明の光学部品の接合方法は、母材とそれに接合する接合物との接合境界部に供与した接合材をレーザ光の照射により溶融させて接合する光学部品の接合方法であって、前記接合材は、前記接合物外まわりで相対向する接合箇所の、前記母材と前記接合材との間の接合境界部に供与されており、前記接合材のそれぞれに直接レーザ光を照射し、溶融して接合境界部各部の母材および接合物双方へ濡れ跨った前記接合材が同時に硬化しフィレットを形成するようにレーザ光の照射タイミングまたはおよび照射出力を調整し、前記接合材の硬化時に前記接合物を前記母材に対して位置ずれさせる作用力を接合箇所間でバランスさせてアライメント位置を保持して接合させることを特徴としている。
【手続補正３】
【補正対象書類名】明細書
【補正対象項目名】０００８
【補正方法】変更
【補正の内容】
【０００８】
このような構成では、母材とそれに接合する接合物との接合境界部に供与した接合材をレーザ光の照射により溶融させた後の硬化を図って接合物どうしを接合するが、接合材の硬化時に接合物を母材に対して位置ずれさせる作用力を、接合箇所間でバランスさせて接合物のアライメント位置を保持して接合するので、接合材の硬化の際に接合物に位置ずれさせる作用力を及ぼすあらゆる条件での接合が、数十ミクロンオーダといった高い位置精度をも必要に応じ確保して行うことができる。また、接合は接合材のレーザ光の照射による溶融後の硬化によるもので、ろう材や接着剤を含めた接合材の採用により接合し合える光学部品の材料の種類の組み合わせが多いし、レーザ光の照射出力は数Ｗ級程度と高くなくてよい上に接合時間が数十秒程度の短い時間にて接合できる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】変更
【補正の内容】
【００１７】
この場合、前記接合物の前記母材への接合後、前記接合物の位置が寄っている側と反対の側の端縁と前記母材とに補助接合材を跨らせて供与し、直接レーザ光を照射して溶融させた後硬化させることにより、前記補助接合材の硬化時に前記接合物を前記母材に対して位置ずれさせる作用力を前記位置が寄っている側と反対の向きに働かせてアライメントすることができる。
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】変更
【補正の内容】
【００２５】
また、前記接合材は、前記母材と前記接合物との一方の接合部に設けた凸部の端面に成膜層として設けられ、前記母材と前記接合物との間に前記凸部によってできる隙間を通じ前記凸部に対してレーザ光を照射して前記接合材を溶融させた後、硬化させることにより接合させることを第２の特徴としている。
【手続補正２１】
【補正対象書類名】明細書
【補正対象項目名】００２６
【補正方法】変更
【補正の内容】
【００２６】
このような構成では、外部からのレーザ光の照射ではレーザ光やそれによる熱が届き難い材質またはおよび寸法の光学部品どうしの接合境界部の内側域で接合したい場合に、レーザ光の照射を及ばせて、接合材のレーザ光の照射による溶融後の硬化による接合が行える。
【手続補正２２】
【補正対象書類名】明細書
【補正対象項目名】００２７
【補正方法】変更
【補正の内容】
【００２７】
この場合、接合材は、前記母材と前記接合物との間の複数の凸部の端面に、融点が高い第1の接合材とこの第1の接合材より融点が低い第２の接合材とが個別に成膜されており、前記第1の接合材にレーザ光を照射して溶融後の硬化により前記母材と前記接合物とを接合して接合物モジュールとし、この接合物モジュールと煽りベースとの一方の接合部に設けた凸部に成膜しておいた前記第２の接合材と同じ第３の接合材にレーザ光を照射して前記第３の接合材を溶融させるとともに、前記第２の接合材を溶融させ、前記第２の接合材と第３の接合材との硬化により接合を行うようにすることができる。
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】削除
【補正の内容】
【手続補正３２】
【補正対象書類名】明細書
【補正対象項目名】００３７
【補正方法】削除
【補正の内容】
【手続補正３３】
【補正対象書類名】明細書
【補正対象項目名】００３８
【補正方法】削除
【補正の内容】
【手続補正３４】
【補正対象書類名】明細書
【補正対象項目名】００３９
【補正方法】削除
【補正の内容】
【手続補正３５】
【補正対象書類名】明細書
【補正対象項目名】００４０
【補正方法】削除
【補正の内容】
【手続補正３６】
【補正対象書類名】明細書
【補正対象項目名】００４１
【補正方法】削除
【補正の内容】
【手続補正３７】
【補正対象書類名】明細書
【補正対象項目名】００４２
【補正方法】削除
【補正の内容】
【手続補正３８】
【補正対象書類名】明細書
【補正対象項目名】００４３
【補正方法】削除
【補正の内容】
【手続補正３９】
【補正対象書類名】明細書
【補正対象項目名】００４４
【補正方法】削除
【補正の内容】
【手続補正４０】
【補正対象書類名】明細書
【補正対象項目名】００４５
【補正方法】削除
【補正の内容】
【手続補正４１】
【補正対象書類名】明細書
【補正対象項目名】００４８
【補正方法】削除
【補正の内容】
【手続補正４２】
【補正対象書類名】明細書
【補正対象項目名】００４９
【補正方法】削除
【補正の内容】
【手続補正４３】
【補正対象書類名】明細書
【補正対象項目名】００５０
【補正方法】削除
【補正の内容】
【手続補正４４】
【補正対象書類名】明細書
【補正対象項目名】００５３
【補正方法】削除
【補正の内容】
【手続補正４５】
【補正対象書類名】明細書
【補正対象項目名】００５４
【補正方法】削除
【補正の内容】
【手続補正４６】
【補正対象書類名】明細書
【補正対象項目名】００５５
【補正方法】削除
【補正の内容】
【手続補正４７】
【補正対象書類名】明細書
【補正対象項目名】００５６
【補正方法】削除
【補正の内容】
【手続補正４８】
【補正対象書類名】明細書
【補正対象項目名】００５７
【補正方法】削除
【補正の内容】
【手続補正４９】
【補正対象書類名】明細書
【補正対象項目名】００５８
【補正方法】削除
【補正の内容】
【手続補正５０】
【補正対象書類名】明細書
【補正対象項目名】００５９
【補正方法】削除
【補正の内容】
【手続補正５１】
【補正対象書類名】明細書
【補正対象項目名】００６０
【補正方法】削除
【補正の内容】
【手続補正５２】
【補正対象書類名】明細書
【補正対象項目名】００６１
【補正方法】削除
【補正の内容】
【手続補正５３】
【補正対象書類名】明細書
【補正対象項目名】００６２
【補正方法】削除
【補正の内容】